(57)【要約】【課題】繰り返し動作した場合でも、撮像した画像の画質低下を抑制することができるシャッタ装置を提供する。【解決手段】フォーカルプレンシャッタにおいて、開口部を有するカバー板と、前記開口部の開閉状態を切り替えるよう動作する羽根と、連結具を介して前記羽根と連結されたアームと、前記アームに連結され、前記アームを介して前記羽根を駆動する駆動部材と、を備え、前記カバー板は、前記駆動部材の移動範囲に長溝部を有しており、前記長溝部の底部には接着剤が充填された構成とする。【選択図】図１
2018141843.tif 000002
【特許請求の範囲】
【請求項１】
開口部を有するカバー板と、
前記開口部の開閉状態を切り替えるよう動作する羽根と、
連結具を介して前記羽根と連結されたアームと、
前記アームに連結され、前記アームを介して前記羽根を駆動する駆動部材と、を備え、
前記カバー板は、前記駆動部材の移動範囲に長溝部を有しており、
前記長溝部の底部には接着剤が充填されている、
フォーカルプレンシャッタ。
【請求項２】
前記長溝部は、前記羽根が配置された側から撮像部が配置された側に向かって突出している、
請求項１に記載のフォーカルプレンシャッタ。
【請求項３】
前記長溝部の底部と、前記カバー板とは、一体で形成されている、
請求項１または請求項２に記載のフォーカルプレンシャッタ。
【請求項４】
前記カバー板及び前記長溝部の底部は、金属で形成されている、
請求項３に記載のフォーカルプレンシャッタ。
【請求項５】
請求項１〜４のいずれか１項に記載のフォーカルプレンシャッタと、
撮像素子と、を備える、
撮像装置。
【発明の詳細な説明】
【技術分野】
【０００１】
本発明の一態様は、カメラなどに用いられるシャッタ装置などに関する。
【背景技術】
【０００２】
羽根群によって開口部（画枠）を開閉することで撮像素子またはフィルムに対する露光を行うフォーカルプレンシャッタには、地板と補助地板との間に形成された羽根室に配置された羽根群を駆動機構により駆動することで開口部の開閉状態を変化させ、露光が行われる構成となっているものがある。このようなフォーカルプレンシャッタでは、駆動機構からアームを介して羽根群に動力を伝達する構成となっている。このような構成では、羽根群とアームとをピンなどで連結しているが、ピンの頭部や羽根が他の部材と摺動しながら動作するため、金属粉などの塵が発生していた。そこで、例えば特許文献１に記載のフォーカルプレンシャッタでは、このような塵が飛散して撮像素子に付着し、画像が低下することを防止するように、粘着シートを利用することが考えられていた。また、特許文献２に記載のフォーカルプレンシャッタでは、貫通孔を塞ぐように粘着シートを配置する構成が開示されている。
【先行技術文献】
【特許文献】
【０００３】
【特許文献１】特開２００３−２８００６６号公報
【特許文献２】特開２００４−３８１１７号公報
【発明の概要】
【発明が解決しようとする課題】
【０００４】
しかしながら、従来の技術では、羽根群の動作に影響を与えないようにしながら、金属粉などの塵が発生することを防止することが十分にはできない場合があった。例えば、特許文献１に記載の技術では、粘着シートの粘着力により、羽根が他の部材と付着してしまう場合があった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
開口部を有するカバー板（２）と、
前記開口部の開閉状態を切り替えるよう動作する羽根（５、６）と、
連結具を介して前記羽根と連結されたアーム（５ａ、６ａ）と、
前記アームに連結され、前記アームを介して前記羽根を駆動する駆動部材と、を備え、
前記カバー板は、前記駆動部材の移動範囲に長溝部（２１ａ、２１ｂ）を有しており、
前記長溝部の底部（２２）には接着剤が充填されている、
フォーカルプレンシャッタである。
【０００７】
上記構成のフォーカルプレンシャッタによれば、駆動部材（例えば駆動ピン）の移動範囲に接着剤が充填された長溝部が配置されるため、駆動部材から発生した摩耗粉またはオイルなどを接着剤により捕獲することが可能となる。これにより、摩耗粉またはオイルが飛散して撮像素子に付着し、撮像した画像の質が低下することなどを防止することができる。
【０００８】
上記フォーカルプレンシャッタにおいて、好ましくは、
前記長溝部は、前記羽根が配置された側から撮像部が配置された側に向かって突出している。
【０００９】
上記構成のフォーカルプレンシャッタによれば、羽根が配置された羽根室から撮像部に向かって摩耗粉またはオイルなどが飛散することを効果的に防止することができる。
【００１０】
上記フォーカルプレンシャッタにおいて、好ましくは、
前記長溝部の底部と、前記カバー板とは、一体で形成されている。
【００１１】
上記構成のフォーカルプレンシャッタによれば、カバー板の一部として長溝部が形成されているため、カバー板と長溝部の底部とを別構成にする場合と比較して、長溝部に隙間が形成されることを防止でき、より効果的に摩耗粉またはオイルなどが飛散することを防止することができる。また、カバー板に対するプレス加工により長溝部を形成することができるため、カバー板に長溝部の底部を形成する部材を貼り付ける構成と比較して、加工精度を高めることなどが可能となる。
【００１２】
上記フォーカルプレンシャッタにおいて、好ましくは、
前記カバー板及び前記長溝部の底部は、金属で形成されている。
【００１３】
上記構成のフォーカルプレンシャッタによれば、カバー板に対して長溝部が安定的に形成されるため、耐久性を高めた構成にすることができる。
【００１４】
また、本発明は、上記いずれかのフォーカルプレンシャッタと撮像部とを備える、カメラなどの撮像装置を含む。
【００１５】
上記構成の撮像装置によれば、長期間使用したとしても高品質な画像を撮像可能な撮像装置を提供することなどが可能となる。
【図面の簡単な説明】
【００１６】
【図１】フォーカルプレンシャッタの分解斜視図。
【図２】カバー板の拡大斜視図。
【図３】長溝部付近の拡大断面図。
【発明を実施するための形態】
【００１７】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．補足事項
【００１８】
＜１．実施形態＞
本実施形態のフォーカルプレンシャッタは、駆動部材（駆動ピン）の移動範囲に形成された長溝部の底部に接着剤が配置されており、この接着剤で、主に駆動部材から発生する摩耗粉やオイルを吸着することで、撮像素子に摩耗粉やオイルが付着することを防止する構成としている点を特徴のひとつとする。以下、本実施形態のフォーカルプレンシャッタについて図面を参照しながら説明する。なお、以下の説明では、従来の一般的なフォーカルプレンシャッタと同様の構成についてはその説明を省略することがある。
【００１９】
図１は、本実施形態のフォーカルプレンシャッタの分解斜視図である。図２は、フォーカルプレンシャッタに含まれるカバー板２の拡大図である。図３は、カバー板２の長溝部２１ａ（または２１ｂ）付近の拡大断面図である。
【００２０】
図１に示されるように、本実施形態のフォーカルプレンシャッタは、地板１、カバー板２、中間板３、羽根押え板４、先羽根群５、後羽根群６、及びアーム５ａ及び６ａ、を含んで構成される。なお、先羽根群５及び後羽根群６を、「羽根群５及び６」と総称することがある。
【００２１】
＜地板１＞
地板１は、フォーカルプレンシャッタの基板部分であって、露光開口（画枠）として機能する矩形状の開口部１ａが形成されている。図１に示されるように、地板１には駆動機構部１ｂが搭載される。
【００２２】
＜駆動機構部１ｂ＞
駆動機構部１ｂは、アーム５ａ及び６ａに連結され、長溝部２１ａ及び２１ｂの領域を移動自在に構成された駆動部材（駆動ピン）を含む。駆動部材は、円筒状の本体部分と、本体部分から突出した突出部を有しており、突出部がアーム５ａ及び６ａに連結される。地板１は、駆動部材の円筒状の本体部分を支持する軸を搭載する。地板１は、駆動部材を駆動するための、電磁アクチュエータを搭載する。電磁アクチュエータは、コイルへの通電により励磁される電磁石と、板バネまたはコイルバネなどの付勢部材とを含む。電磁アクチュエータは、電磁石への通電、及び係止状態を変化することで動作して駆動部材を駆動する。駆動部材は、地板１上の軸を中心とした円弧部分の一部を移動する。長溝部２１ａ及び２１ｂは、地板１上の軸を中心とした円弧の一部に沿った溝状部分である。
【００２３】
＜カバー板２＞
カバー板２は、金属製の板状部材であって、地板１と対向する位置に、地板１に対して所定の間隔を空けて取り付けられる。本実施形態のフォーカルプレンシャッタでは、地板１よりもカバー板２に近い位置に基板に搭載された撮像素子が配置される。カバー板２には、地板１に形成された開口部１ａと類似した矩形状の開口部２ａが形成されている。地板１とカバー板２との間に画定された空間は、中間板３、羽根押え板４、羽根群５及び６、並びにアーム５ａ及び６ａなどが収容される羽根室となる。
【００２４】
＜長溝部２１ａ及び２１ｂ＞
カバー板２には、駆動部材（主に駆動ピン）の移動領域に対応する位置に長溝部２１ａ及び２１ｂを有する。長溝部２１ａ及び２１ｂは、地板１が配置された方向とは逆の方向であって、撮像素子が配置された側に向かって突出した溝状部分である。長溝部２１ａ及び２１ｂは、板状のカバー板２に対するプレス加工により形成されるため、長溝部２１ａ及び２１ｂの底部２２（図３参照）は、カバー板２と一体的に形成されている。長溝部２１ａ及び２１ｂには、カバー板２側の駆動部材（駆動ピン）の先端部が入り込んでいる。長溝部２１ａ及び２１ｂの底部２２には、粘着シートが配置される。
【００２５】
底部２２に配置された粘着シートは、両面に粘着性を有するシート状の部材であって、金属、樹脂、及びオイルなどを吸着する。つまり、粘着シートは、地板１、カバー板２、及び中間板３などから摩耗により発生した金属粉を吸着する。また、粘着シートは、羽根群５及び６、並びにアーム５ａ及び６ａなどから摩耗により発生した樹脂粉を吸着する。また、粘着シートは、羽根群５及び６、アーム５ａ及び６ａ、並びに駆動部材の連結部などに塗布されたオイル（潤滑油）を吸着する。なお、必ずしも粘着シートに限定されるものではなく、他の接着剤に置き換えられても良い。
【００２６】
＜中間板３＞
中間板３は、地板１とカバー板２とにより画定された羽根室に配置され、地板１及びカバー板２にそれぞれ形成された開口部１ａ及び２ａと類似した矩形状の開口部３ａが形成されている。中間板３は、羽根室内において先羽根群５と後羽根群６とが収容される空間を区別するために配置される。つまり、図１に示されるように、地板１と中間板３との間には先羽根群５及びアーム５ａが配置され、カバー板２と中間板３との間には後羽根群６及びアーム６ａが配置される。
【００２７】
地板１、カバー板２、及び中間板３に形成された開口部１ａ、２ａ、及び３ａが重なる領域が、フォーカルプレンシャッタにおける露光用の開口として機能する露光開口（画枠）となる。露光開口の被写体とは逆側には、例えばＣ−ＭＯＳやＣＣＤなどの光電変換素子が撮像素子（図示せず）として配置されている。露光開口（画枠）は、駆動機構部１ｂに駆動された羽根群５及び６が移動することで開閉状態が変化し、露光開口が開放状態のときに被写体側からの光を撮像素子側に通過させる。被写体側からこの露光開口を通過した入射光が、フォーカルプレンシャッタの先に配置された撮像素子に到達し、撮像素子が受光した光を電気信号に変換して制御部（図示せず）などに出力することで、撮像が行われる。なお、上記の撮像素子に代えてフィルムなどが配置されていてもよく、これらの撮像素子やフィルムなどを本発明では総称して撮像部と呼ぶ。
【００２８】
＜羽根群５及び６＞
羽根群５及び６は、それぞれ駆動機構部１ｂにより駆動され、開口部１ａ、２ａ、及び３ａにより画定される露光開口（画枠）を開閉するよう動作する。羽根群５及び６は、それぞれ複数枚の短冊状（露光開口より長手方向に細長い矩形状または略矩形状）の羽根により構成され、アーム５ａ、または６ａを介して駆動機構部１ｂの駆動部材に連結される。
【００２９】
上記のように、本実施形態のフォーカルプレンシャッタでは、カバー板２が、駆動部材の移動範囲に長溝部２１ａ及び２１ｂを有しており、長溝部２１ａ及び２１ｂの底部２２に粘着シートなどの接着剤が充填されている。このようなフォーカルプレンシャッタでは、駆動部材から発生した金属粉などの摩耗粉またはオイルなどを、接着剤により捕獲することが可能となる。これにより、摩耗粉またはオイルが飛散して撮像部に付着し、撮像した画像の質が低下することなどを防止することができる。
【００３０】
また、本実施形態のフォーカルプレンシャッタでは、長溝部２１ａ及び２１ｂが、羽根群５及び６が配置された側から、撮像部が配置された側に向かって突出している。これにより、本実施形態のフォーカルプレンシャッタでは、羽根群５及び６が配置された羽根室から撮像部に向かって摩耗粉またはオイルなどが飛散することを効果的に防止することができる。
【００３１】
また、本実施形態のフォーカルプレンシャッタでは、長溝部２１ａ及び２１ｂの底部２２と、カバー板２とが一体で構成されているため、カバー板２と長溝部２１ａ及び２１ｂの底部２２とを別構成にする場合と比較して、長溝部２１ａ及び２１ｂの底部２２に隙間が形成されることを防止でき、より効果的に摩耗粉またはオイルなどが飛散することを防止することができる。また、カバー板２に対するプレス加工により長溝部２１ａ及び２１ｂを形成することができるため、カバー板２に長溝部２１ａ及び２１ｂの底部２２を形成する部材を貼り付ける構成と比較して、加工精度を高めることなどが可能となる。
【００３２】
また、本実施形態のフォーカルプレンシャッタでは、カバー板２、及び長溝部２１ａ及び２１ｂの底部２２が金属で形成されているため、カバー板２に対して長溝部２１ａ及び２１ｂが安定的に形成される。これにより、フォーカルプレンシャッタの耐久性を高めることができる。
【００３３】
＜２．補足事項＞
以上、本発明の実施形態についての具体的な説明を行った。上記説明は、あくまで一実施形態としての説明であって、本発明の範囲はこの一実施形態に留まらず、同様の技術思想に基づいて当業者が把握可能な範囲にまで広く解釈されるものである。
【００３４】
また、上記実施形態では、地板１、カバー板２、及び中間板３にそれぞれ矩形状の開口部１ａ、２ａ及び３ａが形成されている例について説明したが、これらの地板１、カバー板２、及び中間板３に形成される開口部は矩形状、または略矩形状に限定されるものではない。すなわち、これらの開口部は、方形状、または略方形状に形成されてもよいし、その他の形状であってもよい。
【産業上の利用可能性】
【００３５】
本発明のフォーカルプレンシャッタは、例えば装置内で摺動等による摩耗粉などが発生しても画質の低下を抑制可能な装置などとして利用される。
【符号の説明】
【００３６】
１…地板
１ａ…開口部
１ｂ…駆動機構部
２…カバー板
２ａ…開口部
２１ａ、２１ｂ…長溝部
２２…底部
３…中間板
３ａ…開口部
４…羽根押え板
５…先羽根群
６…後羽根群
５ａ、６ａ…アーム
【図１】
2018141843.tif 000003
【図２】
2018141843.tif 000004
【図３】
2018141843.tif 000005